(57)【特許請求の範囲】
【請求項１】
複数の断層画像から構成される３次元画像の前記断層画像のサムネイル画像を表示させるサムネイル画像表示制御部と、
前記３次元画像の表示指示を受け付ける表示指示受付部と、
該表示指示受付部によって前記３次元画像の表示指示が受け付けられた際、前記サムネイル画像が表示された表示画面とは異なる表示画面に、前記３次元画像を構成する複数の断層画像を順次切替え可能に表示させる断層画像表示制御部とを備え、
前記サムネイル画像表示制御部が、前記断層画像の表示を終了する直前に前記断層画像表示制御部によって表示された断層画像のサムネイル画像を新たに生成し、現在の表示されているサムネイル画像から前記新たに生成したサムネイル画像に変更して表示させるものであることを特徴とする画像表示制御装置。
【請求項２】
前記表示指示受付部が、複数の前記３次元画像の中から複数の表示対象の３次元画像の表示指示を受け付けるものであり、
前記断層画像表示制御部が、前記表示指示受付部において複数の表示対象の３次元画像の表示指示が受け付けられた際、該複数の表示対象の３次元画像の断層画像を並べて表示させるものである請求項１記載の画像表示制御装置。
【請求項３】
前記断層画像表示制御部が、前記並べて表示される複数の断層画像が同じ断層位置の断層画像となるように前記複数の断層画像を連動させて切り替えて表示させるものである請求項２記載の画像表示制御装置。
【請求項４】
前記断層画像表示制御部が、前記複数の表示対象の３次元画像のそれぞれについて予め検出されたランドマークに基づいて、前記複数の断層画像を連動させて切り替えて表示させるものである請求項３記載の画像表示制御装置。
【請求項５】
前記断層画像表示制御部が、前記複数の表示対象の３次元画像の撮影方向が異なる場合には、同じ撮影方向の断層画像を生成して表示させるものである請求項２から４いずれか１項記載の画像表示制御装置。
【請求項６】
前記３次元画像を構成する複数の断層画像のうち表示対象の断層画像の断層位置の変更を受け付ける断層位置変更指示受付部を備え、
前記断層画像表示制御部が、前記断層位置変更指示受付部によって変更された断層位置の断層画像を表示させるものであることを特徴とする請求項１から５いずれか１項記載の画像表示制御装置。
【請求項７】
前記サムネイル画像が表示された表示画面内に、現在表示されているサムネイル画像の断層位置を示す画像を表示させる断層位置表示制御部を備えたことを特徴とする請求項１から６いずれか１項記載の画像表示制御装置。
【請求項８】
前記断層位置表示制御部が、人型のアイコン表示上に前記断層位置を示す画像を表示させるものであることを特徴とする請求項７記載の画像表示制御装置。
【請求項９】
前記サムネイル画像が表示された表示画面内に、現在表示されているサムネイル画像が属する３次元画像の撮影範囲を示す画像を表示させる撮影範囲示制御部を備えたことを特徴とする請求項１から８いずれか１項記載の画像表示制御装置。
【請求項１０】
前記撮影範囲表示制御部が、人型のアイコン表示上に前記撮影範囲を示す画像を表示させるものであることを特徴とする請求項９記載の画像表示制御装置。
【請求項１１】
サムネイル画像表示制御部と、表示指示受付部と、断層画像表示制御部とを備えた画像表示制御装置の作動方法であって、
前記サムネイル画像表示制御部が、複数の断層画像から構成される３次元画像の前記断層画像のサムネイル画像を表示させ、
前記表示指示受付部が、前記３次元画像の表示指示を受け付け、
前記断層画像表示制御部が、前記３次元画像の表示指示が受け付けられた際、前記サムネイル画像が表示された表示画面とは異なる表示画面に、前記３次元画像を構成する複数の断層画像を順次切替え可能に表示させ、
前記サムネイル画像表示制御部が、さらに前記断層画像の表示を終了する直前に表示された断層画像のサムネイル画像を新たに生成し、現在の表示されているサムネイル画像から前記新たに生成したサムネイル画像に変更して表示させることを特徴とする画像表示制御方法。
【請求項１２】
コンピュータを、
複数の断層画像から構成される３次元画像の前記断層画像のサムネイル画像を表示させるサムネイル画像表示制御部と、
前記３次元画像の表示指示を受け付ける表示指示受付部と、
該表示指示受付部によって前記３次元画像の表示指示が受け付けられた際、サムネイル画像が表示された表示画面とは異なる表示画面に、前記３次元画像を構成する複数の断層画像を順次切替え可能に表示させる断層画像表示制御部として機能させる画像表示制御プログラムであって、
前記サムネイル画像表示制御部が、前記断層画像の表示を終了する直前に前記断層画像表示制御部によって表示された断層画像のサムネイル画像を新たに生成し、現在の表示されているサムネイル画像から前記新たに生成したサムネイル画像に変更して表示させるものであることを特徴とする画像表示制御プログラム。
【発明の詳細な説明】
【技術分野】
【０００１】
本発明は、３次元画像を構成する断層画像のサムネイル画像を表示させ、その３次元画像の表示指示を受け付けた際に、３次元画像を構成する複数の断層画像を順次切り替えて表示させる画像表示制御装置およびその作動方法並びに画像表示制御プログラムに関するものである。
【背景技術】
【０００２】
近年、患者に対して行った各種検査の画像や読影レポートを一覧できる診療情報統合システムが普及し始めている（たとえば非特許文献１参照）。
【０００３】
このような診療情報統合システムにおいては、多くの場合、そのシステムの画面に表示されているＣＴ（Computed Tomography）画像などサムネイル画像をクリックすることで、別途、ビューワアプリケーションが起動され、そのサムネイル画像に対応するＣＴ画像が表示される。
【先行技術文献】
【非特許文献】
【０００４】
【非特許文献１】小山和夫、「診療情報統合システムＮＥＸＴＡＳ」、横河技法、Vol.48、No.4(2004)、P125-P128
【特許文献】
【０００５】
【特許文献１】特開２００７−１４４１７９号公報
【特許文献２】特開２００２−２５３５４５号公報
【特許文献３】特開２００１−１２０５４１号公報
【特許文献４】特開２０１１−１２０８２７号公報
【発明の概要】
【発明が解決しようとする課題】
【０００６】
ここで、上述したようなシステムの画面において表示されるサムネイル画像は、ＣＴ画像の撮影対象部位などを大まかに把握するためのものであるため、ＣＴ画像を構成する複数の断層画像のうちのどの断層画像を用いてサムネイル画像を生成するかについては、これまで特に考慮されていなかった。サムネイル画像を生成するために用いられる断層画像としては、たとえば最も端の断層位置の断層画像などが用いられ、固定されたものであった。
【０００７】
なお、特許文献１には、サムネイル表示された３次元画像上において断面の選択を受け、その選択された選択画像を表示させることが開示されておりますが、上述したように３次元画像を構成する複数の断層画像のうちの１つの断層画像をサムネイル表示することは開示されていない。
【０００８】
また、特許文献２には、複数の断層画像をシネ表示することが開示されておりますが、特許文献３にも、上述したように３次元画像を構成する複数の断層画像のうちの１つの断層画像をサムネイル表示することは開示されていない。
【０００９】
また、特許文献３および特許文献４には、複数の断層画像を比較読影することが開示されておりますが、サムネイル画像の表示については何も提案されていない。
【００１０】
本発明は、上記事情に鑑み、ユーザが断層画像のサムネイル画像を観察した際、撮影対象部位などを大まかに把握できるだけなく、過去の読影情報も確認することができる画像表示制御装置および方法並びにプログラムを提供することを目的とするものである。
【課題を解決するための手段】
【００１１】
本発明の画像表示制御装置は、複数の断層画像から構成される３次元画像の断層画像のサムネイル画像を表示させるサムネイル画像表示制御部と、３次元画像の表示指示を受け付ける表示指示受付部と、表示指示受付部によって３次元画像の表示指示が受け付けられた際、サムネイル画像が表示された表示画面とは異なる表示画面に、３次元画像を構成する複数の断層画像を順次切替え可能に表示させる断層画像表示制御部とを備え、サムネイル画像表示制御部が、断層画像の表示を終了する直前に断層画像表示制御部によって表示された断層画像のサムネイル画像を新たに生成し、現在の表示されているサムネイル画像から新たに生成したサムネイル画像に変更して表示させるものであることを特徴とする。
【００１２】
また、上記本発明の画像表示制御装置においては、表示指示受付部を、複数の３次元画像の中から複数の表示対象の３次元画像の表示指示を受け付けるものとし、断層画像表示制御部を、表示指示受付部において複数の表示対象の３次元画像の表示指示が受け付けられた際、その複数の表示対象の３次元画像の断層画像を並べて表示させるものとできる。
【００１３】
また、断層画像表示制御部を、並べて表示される複数の断層画像が同じ断層位置の断層画像となるように複数の断層画像を連動させて切り替えて表示させるものとできる。
【００１４】
また、断層画像表示制御部を複数の表示対象の３次元画像のそれぞれについて予め検出されたランドマークに基づいて、複数の断層画像を連動させて切り替えて表示させるものとできる。
【００１５】
また、断層画像表示制御部を、複数の表示対象の３次元画像の撮影方向が異なる場合には、同じ撮影方向の断層画像を生成して表示させるものとできる。
【００１６】
また、３次元画像を構成する複数の断層画像のうち表示対象の断層画像の断層位置の変更を受け付ける断層位置変更指示受付部を設け、断層画像表示制御部を、断層位置変更指示受付部によって変更された断層位置の断層画像を表示させるものとできる。
【００１７】
また、サムネイル画像が表示された表示画面内に、現在表示されているサムネイル画像の断層位置を示す画像を表示させる断層位置表示制御部を設けることができる。
【００１８】
また、断層位置表示制御部を、人型のアイコン表示上に断層位置を示す画像を表示させるものとできる。
【００１９】
また、サムネイル画像が表示された表示画面内に、現在表示されているサムネイル画像が属する３次元画像の撮影範囲を示す画像を表示させる撮影範囲示制御部を設けることができる。
【００２０】
また、撮影範囲表示制御部を、人型のアイコン表示上に撮影範囲を示す画像を表示させるものとできる。
【００２１】
本発明の画像表示制御装置の作動方法は、サムネイル画像表示制御部と、表示指示受付部と、断層画像表示制御部とを備えた画像表示制御装置の作動方法であって、サムネイル画像表示制御部が、複数の断層画像から構成される３次元画像の断層画像のサムネイル画像を表示させ、表示指示受付部が、３次元画像の表示指示を受け付け、
断層画像表示制御部が、３次元画像の表示指示が受け付けられた際、サムネイル画像が表示された表示画面とは異なる表示画面に、３次元画像を構成する複数の断層画像を順次切替え可能に表示させ、サムネイル画像表示制御部が、さらに断層画像の表示を終了する直前に表示された断層画像のサムネイル画像を新たに生成し、現在の表示されているサムネイル画像から新たに生成したサムネイル画像に変更して表示させることを特徴とする。
【００２２】
本発明の画像表示制御プログラムは、コンピュータを、複数の断層画像から構成される３次元画像の断層画像のサムネイル画像を表示させるサムネイル画像表示制御部と、３次元画像の表示指示を受け付ける表示指示受付部と、表示指示受付部によって３次元画像の表示指示が受け付けられた際、サムネイル画像が表示された表示画面とは異なる表示画面に、３次元画像を構成する複数の断層画像を順次切替え可能に表示させる断層画像表示制御部として機能させる画像表示制御プログラムであって、サムネイル画像表示制御部が、断層画像の表示を終了する直前に断層画像表示制御部によって表示された断層画像のサムネイル画像を新たに生成し、現在の表示されているサムネイル画像から新たに生成したサムネイル画像に変更して表示させるものであることを特徴とする。
【発明の効果】
【００２３】
本発明の画像表示制御装置およびその作動方法並びに画像表示制御プログラムによれば、３次元画像を構成する断層画像のサムネイル画像を表示させ、３次元画像の表示指示が受け付けられた際に、そのサムネイル画像が表示された表示画面とは異なる表示画面に、３次元画像を構成する複数の断層画像を順次切替え可能に表示させる場合において、断層画像の表示を終了した際、その直前に表示された断層画像のサムネイル画像を新たに生成し、現在の表示されているサムネイル画像から新たに生成したサムネイル画像に変更して表示させるようにしたので、ユーザはその変更表示されたサムネイル画像を観察した際に、前回の読影においてどの断層画像を中心に観察したのかを即座に把握することができ、診断効率を向上させることができる。
【図面の簡単な説明】
【００２４】
【図１】本発明の画像表示制御装置およびその作動方法並びに画像表示制御プログラムの一実施形態を用いた診療情報表示システムの概略構成を示すブロック図
【図２】診療情報統合アプリケーションによって表示される診療情報表示画面の一例を示す図
【図３】ビューワアプリケーションによって表示される画像表示画面の一例を示す図
【図４】本発明の画像表示制御装置およびその作動方法並びに画像表示制御プログラムの一実施形態を用いた診療情報表示システムの作用を説明するためのフローチャート
【図５】複数の３次元画像の選択を受け付け、複数の断層画像を並べて表示する場合を説明するための図
【図６】複数の３次元画像において検出されたランドマークに基づいて、各３次元画像の断層画像の断層位置を連動させて表示させる場合を説明するための図
【図７】図１に示す診療情報表示システムの変形例を示すブロック図
【図８】サムネイル画像の断層位置および撮影範囲をアイコン表示した診療情報表示画面の一例を示す図
【図９】３次元画像の撮影範囲が胸部であって、撮影方向がアキシャル方向である場合におけるアイコンの一例を示す図
【図１０】３次元画像の撮影範囲が胸部であって、撮影方向がアキシャル方向である場合におけるアイコンの一例を示す図
【図１１】３次元画像の撮影範囲が胸部であって、撮影方向がサジタル方向である場合におけるアイコンの一例を示す図
【図１２】３次元画像の撮影範囲が腹部であって、撮影方向がコロナル方向である場合におけるアイコンの一例を示す図
【発明を実施するための形態】
【００２５】
以下、本発明の画像表示制御装置およびその作動方法並びに画像表示制御プログラムの一実施形態を用いた診療情報表示システムについて、図面を参照しながら詳細に説明する。図１は、本実施形態の診療情報表示システム１の概略構成を示すブロック図である。
【００２６】
本実施形態の診療情報表示システム１は、図１に示すように、診療情報表示制御装置１０と、診療科端末２０と、電子カルテシステム３０と、検査部門システム４０と、画像診断システム５０とを備えている。
【００２７】
まず、診療情報表示制御装置１０について説明する。なお、診療情報表示制御装置１０は、本発明の画像表示制御装置の一実施形態を含むものである。
【００２８】
診療情報表示制御装置１０は、診療科端末２０において入力された患者の識別情報を受け付け、その患者に関する診療情報を電子カルテシステム３０、検査部門システム４０および画像診断システム５０からそれぞれ収集し、その収集した情報を統合した診療情報表示画面を生成して診療科端末２０に表示させる診療情報統合アプリケーション１１と、診療情報表示画面上において選択された患者の画像診断情報を診療情報表示画面とは異なる画像表示画面上に表示させるビューワアプリケーション１６とがコンピュータにインストールされたものである。この診療情報統合アプリケーション１１およびビューワアプリケーション１６が、本実施形態における診療情報表示制御プログラムに相当するものである。
【００２９】
診療情報統合アプリケーション１１およびビューワアプリケーション１６は、別々のアプリケーションであって、ＣＤ−ＲＯＭなどの記録媒体に記録されたものを用いてもよいし、インターネットを経由してサーバなどからダウンロードしたものを用いてもよいし、インターネットを介してＳａａＳ（Software as a Service）によって提供されるものを用いてもよい。
【００３０】
そして、診療情報統合アプリケーション１１がコンピュータのＣＰＵ（Central Processing Unit）によって実行されることによって、図１に示す診療情報取得部１２と、表示指示受付部１３と、診療情報表示制御部１４と、サムネイル画像表示制御部１５とが機能する。
【００３１】
また、ビューワアプリケーション１６がコンピュータのＣＰＵ（Central Processing Unit）によって実行されることによって、図１に示す断層画像表示制御部１７と、断層位置変更指示受付部１８とが機能する。
【００３２】
診療情報取得部１２は、診療科端末２０において入力された患者の識別情報に基づいて、その患者の識別情報に紐付けされた診療情報を各サーバから取得するものである。診療情報としては、その患者の名前や年齢や性別などといった基本情報、検体検査やバイタルなどの種々の検査データ、医師などによって作成された読影レポートおよび被検体の３次元画像などの画像情報などがある。
【００３３】
診療情報表示制御部１４は、診療情報取得部１２によって取得された患者の診療情報を解析し、その内容を示す診療情報表示画面を生成して診療科端末２０のモニタ上に表示させるものである。
【００３４】
図２は、診療情報表示制御部１４によって表示される診療情報表示画面Ｗ１の一例を示すものである。なお、図２においては、患者の基本情報については図示省略している。図２に示すように、診療情報表示画面Ｗ１内には、所定の患者について登録された診療情報の名称が、日付毎にリスト表示される。
【００３５】
具体的には、２月２０日には、「レポート１」という名称の読影レポートと、「ＣＴ１」という名称のＣＴ画像とが登録されており、これらの名称が、２月２０日の欄の中にリスト表示される。また、３月１０日には、「所見」という名称の読影レポートと、「内視鏡」という名称の内視鏡画像とが登録されており、これらの名称が、３月１０日の欄の中にリスト表示される。また、５月８日には、「レポート２」という名称の読影レポートと、「ＣＴ２」という名称のＣＴ画像とが登録されており、これらの名称が、５月８日の欄の中にリスト表示される。また、１０月１２日には、「レポート３」という名称の読影レポートと、「血液検査」という名称の血液検査データと、「ＣＴ３」という名称のＣＴ画像とが登録されており、これらの名称が、１０月１２日の欄の中にリスト表示される。
【００３６】
そして、図２に示すように、診療情報の中に複数の断層画像から構成されるＣＴ画像情報のような３次元画像情報がある場合には、サムネイル画像表示制御部１５によってその３次元画像を構成する断層画像のサムネイル画像が生成され、そのサムネイル画像が診療情報表示画面Ｗ１内の各日付欄の中に表示される。図２においては、２月２０日と、５月８日と、１０月１２日とにＣＴ画像情報が含まれているので、それぞれサムネイル画像ＳＩ１〜ＳＩ３が表示されている。医師などのユーザは、このサムネイル画像ＳＩ１〜ＳＩ３を観察することによって、登録されているＣＴ画像情報の概略を認識することができる。
【００３７】
そして、診療情報表示画面Ｗ１内に表示される各名称は、ユーザによって診療科端末２０の入力装置を用いて選択可能に表示されている。
【００３８】
ユーザによって各名称が選択されると、その選択情報が表示指示情報として表示指示受付部１３によって受け付けられる。診療情報表示画面Ｗ１内に表示される各名称には診療情報取得部１２に対するリンク情報が付加されており、表示指示受付部１３によって各名称の表示指示情報が受け付けられると、診療情報表示制御部１４は、その名称に付加されたリンク先を参照し、診療情報取得部１２からその名称の具体的な診療情報を読み出し、診療科端末２０のモニタに表示させる。
【００３９】
具体的には、たとえば２月２０日の「レポート１」をユーザがクリックなどして選択した場合には、「レポート１」の具体的な内容が診療情報表示制御部１４によって診療情報取得部１２から読み出され、診療科端末のモニタ上に表示される。２月２０日の「ＣＴ１」をユーザがクリックなどして選択した場合には、ＣＴ１の具体的なＣＴ画像が診療情報表示制御部１４によって診療情報取得部１２から読み出され、診療科端末のモニタ上に表示される。また、１０月１２日の「血液検査」をユーザがクリックなどして選択した場合には、「血液検査」の具体的な検査データが診療情報表示制御部１４によって診療情報取得部１２から読み出され、診療科端末のモニタ上に表示される。
【００４０】
ここで、本実施形態においては、診療情報表示画面Ｗ１内における画像情報の名称がユーザによって選択され、その選択情報が表示指示受付部１３によって受け付けられた場合には、ビューワアプリケーション１６が起動される。
【００４１】
そして、診療情報表示制御部１４によって読み出された画像情報が、ビューワアプリケーション１６に出力され、ビューワアプリケーション１６は、入力された画像情報を診療科端末２０のモニタ上に表示させるものであるが、この際、診療情報表示画面とは異なる画像表示画面上に画像情報を表示させる。なお、本実施形態では、画像表示画面上にＣＴ画像を構成する複数の断層画像を表示する場合を中心に説明する。
【００４２】
ビューワアプリケーション１６は、上述したように断層画像表示制御部１７と、断層位置変更指示受付部１８とを備えている。
【００４３】
診療情報表示画面Ｗ１内におけるＣＴ画像の名称がユーザによって選択されると、診療情報表示制御部１４から出力されたＣＴ画像は、断層画像表示制御部１７によって取得される。断層画像表示制御部１７は、入力されたＣＴ画像を構成する各断層画像を画像表示画面内に表示させるものである。図３は、画像表示画面Ｗ２の一例を示すものであり、図３に示す画像表示画面Ｗ２内には、所定の断層画像Ｇが表示されている。
【００４４】
そして、断層位置変更指示受付部１８は、画像表示画面Ｗ２内に表示される断層画像の断層位置の変更指示を受け付けるものである。具体的には、ユーザによって診療科端末２０の入力装置を用いて断層位置の変更指示が入力され、その断層位置の変更指示が、断層位置変更指示受付部１８によって受け付けられる。
【００４５】
断層位置変更指示受付部１８によって断層位置の変更指示が受け付けられると、断層画像表示制御部１７は、その変更指示に応じて画像表示画面Ｗ２内に表示される断層画像を順次切り替えて表示する。なお、断層位置の変更指示は、具体的な断層位置を指定する指示でもよいし、重なり順に断層位置を変更する指示でもよい。
【００４６】
そして、ユーザによる断層画像の観察が終了し、ビューワアプリケーション１６の終了指示が診療科端末２０の入力装置において入力された場合には、断層画像表示制御部１７は、断層画像の表示を終了するが、その終了直前に表示していた断層画像の情報を診療情報統合アプリケーション１１のサムネイル画像表示制御部１５に出力する。断層画像の情報としては、ビューワアプリケーション１６の終了直前に表示されていた断層画像そのものでもよいし、断層画像の断層位置を示す情報でもよい。
【００４７】
サムネイル画像表示制御部１５は、上述したようにビューワアプリケーション１６の終了直前の断層画像の情報が入力されると、その断層画像のサムネイル画像を新たに生成し、現在の表示されているサムネイル画像から新たに生成したサムネイル画像に変更して表示させるものである。すなわち、図２に示すサムネイル画像ＳＩ１〜ＳＩ３を、ビューワアプリケーション１６の終了直前の断層画像のサムネイル画像に変更して表示するものである。以上が、診療情報表示制御装置１０の説明である。
【００４８】
次に、診療科端末２０は、上述したように、図２に示す診療情報表示画面Ｗ１および図３に示す画像表示画面Ｗ２を表示するディスプレイと、患者の識別情報の入力、診療情報の表示指示（選択指示）の入力、断層画像の断層位置の変更の入力、診療情報統合アプリケーション１１の開始指示の入力およびビューワアプリケーション１６の終了指示の入力などを受け付けるキーボードおよびマウスなどの入力装置を備えたものである。
【００４９】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および点滴の薬剤の種類や投薬期間、既往歴などの情報や、医師による問診検査のデータが含まれている。
【００５０】
検査部門システム４０は、複数の患者の検査データを管理するシステムである。検査部門システム４０は、検査データ保管サーバ４１を備えており、この検査データ保管サーバ４１には、複数の患者の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。
【００５１】
画像診断システム５０は、複数の患者の画像診療情報を管理するシステムである。画像診断システム５０は、画像管理サーバ５１と、読影レポートサーバ５２とを備えている。画像管理サーバ５１には、複数の患者の３次元画像などの画像情報が患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。
【００５２】
画像診断システム５０は、診療科端末２０において入力された患者の識別情報を取得し、その識別情報に紐付けされた３次元画像やその読影レポートを診療情報表示制御装置１０に出力するものである。
【００５３】
次に、本実施形態の診療情報表示システム１の作用について、図４に示すフローチャートを参照しながら説明する。なお、本実施形態の診療情報表示システム１は、上述した診療情報表示画面Ｗ１内における断層画像のサムネイル画像の変更に特徴を有するものであるため、以下、その点を中心に説明する。
【００５４】
まず、診療科端末２０において、診療情報統合アプリケーション１１の開始指示が入力され、この入力に応じて診療情報統合アプリケーション１１が起動される（Ｓ１０）。
【００５５】
次に、患者の識別情報が入力され、その患者の識別情報は、診療情報表示制御装置１０の診療情報取得部１２によって取得される（Ｓ１２）。
【００５６】
診療情報取得部１２は、入力された患者の識別情報に基づいて、電子カルテ保管サーバ３１、検査データ保管サーバ４１、画像管理サーバ５１および読影レポートサーバ５２からその患者に関する診療情報を収集し、その診療情報を一旦記憶する（Ｓ１４）。
【００５７】
そして、診療情報表示制御部１４によって診療情報取得部１２に記憶された診療情報が解析され、その内容を示す診療情報表示画面Ｗ１を生成して診療科端末２０のモニタ上に表示させる（Ｓ１６）。そして、このとき、診療情報に３次元画像が含まれる場合には、サムネイル画像表示制御部１５によって３次元画像を構成する所定の断層画像のサムネイル画像が生成され、診療情報表示画面Ｗ１内に表示される（Ｓ１８）。
【００５８】
なお、本実施形態においては、初期の診療情報表示画面Ｗ１においては、たとえば最も端の断層位置の断層画像のサムネイル画像が表示されるものとする。具体的には、たとえば３次元画像を構成する断層画像が、胸部を撮影したアキシャル断層画像である場合には、最も頭部側の断層画像のサムネイル画像が表示される。ただし、これに限らず、初期の診療情報表示画面Ｗ１に表示されるサムネイル画像の断層位置は、ユーザが任意に設定可能である。
【００５９】
次いで、診療情報表示画面Ｗ１内における３次元画像情報の名称がユーザによって選択されることによって、その３次元画像情報の表示指示が入力された場合には、その表示指示が表示指示受付部１３によって受け付けられ（Ｓ２０）、これに応じてビューワアプリケーション１６が起動される（Ｓ２２）。
【００６０】
そして、ユーザによって選択された３次元画像が、診療情報表示制御部１４によって診療情報取得部１２から読み出されてビューワアプリケーション１６に出力される。ビューワアプリケーション１６の断層画像表示制御部１７は、入力された３次元画像を構成する複数の断層画像のうちの所定の断層画像を、診療科端末２０のモニタ上に表示された画像表示画面Ｗ２内に表示させる（Ｓ２４）。このとき表示される断層画像は、診療情報表示画面Ｗ１内に表示されたサムネイル画像と同じ断層位置の縮小前の断層画像である。
【００６１】
そして、ユーザによって画像表示画面Ｗ２内に表示される断層画像の断層位置の変更指示が入力された場合には（Ｓ２６，ＹＥＳ）、その変更指示が断層位置変更指示受付部１８によって受け付けられ、これに応じて断層画像表示制御部１７は、画像表示画面Ｗ２内に表示される断層画像を切り替えて表示する（Ｓ２８）。
【００６２】
そして、ユーザによる断層画像の切り替えおよび観察が終了し、ビューワアプリケーション１６の終了指示が入力された場合には、画像表示画面Ｗ２が閉じられてビューワアプリケーション１６が終了する（Ｓ３０，ＹＥＳ）。そして、このときビューワアプリケーション１６の終了直前に表示された断層画像の情報が、診療情報統合アプリケーション１１のサムネイル画像表示制御部１５に入力される。サムネイル画像表示制御部１５は、入力された断層画像の情報に基づいて、新たにサムネイル画像を生成し、診療情報表示画面Ｗ１内に現在表示されているサムネイル画像から新たに生成したサムネイル画像に変更にして表示させる（Ｓ３２）。
【００６３】
なお、ユーザによって画像表示画面Ｗ２内に表示される断層画像の断層位置の変更指示が入力されないままビューワアプリケーションの終了指示が入力された場合には、（Ｓ２６，ＮＯ、Ｓ３４，ＹＥＳ）、上述したようなサムネイル画像の変更は行われない。
【００６４】
上記実施形態の診療情報表示システムによれば、ビューワアプリケーション１６による断層画像の表示を終了した際、その終了直前に表示された断層画像のサムネイル画像を新たに生成し、現在、診療情報表示画面に表示されているサムネイル画像から新たに生成したサムネイル画像に変更して表示させるようにしたので、ユーザはその変更表示されたサムネイル画像を観察した際に、前回の読影においてどの断層画像を中心に観察したのかを即座に把握することができ、診断効率を向上させることができる。
【００６５】
また、上記実施形態の説明においては、診療情報表示画面Ｗ１内に表示されている複数の３次元画像の名称のうちの１つがユーザによって選択された場合について説明したが、これに限らず、複数の３次元画像の名称を選択可能としてもよい。具体的には、たとえば図５に示すような診療情報表示画面Ｗ１内において、３次元画像の名称である「ＣＴ１」と「ＣＴ２」と「ＣＴ３」とを同時に選択可能にしてもよい。これらを同時に選択する方法としては、たとえば診療科端末２０のキーボードにおいて所定のキーを押しながらこれらの名称をマウスでクリックすることによって同時の選択可能とすればよい。そして、これらの名称を選択後にエンターキーが押されることによってビューワアプリケーション１６が起動される。
【００６６】
そして、上述したように複数の３次元画像の名称が選択された場合には、断層画像表示制御部１７が、図５に示すように画像表示画面Ｗ２内にこれらの３次元画像の断層画像を並べて表示するようにすればよい。このように複数の３次元画像の断層画像を並べて表示することによって、比較読影を容易に行うことができる。
【００６７】
複数の３次元画像の断層画像のレイアウトとしては、たとえば２つの断層画像を並べて表示する場合には、１×２のレイアウトで表示し、３つの断層画像を並べて表示する場合には、１×３のレイアウトで表示し、４つの断層画像を並べて表示する場合には、２×２のレイアウトで表示するようにすればよい。
【００６８】
また、上述したように複数の３次元画像の断層画像を並べて表示する場合には、断層画像表示制御部１７が、複数の断層画像が同じ断層位置の断層画像となるように連動させて切り替えて表示させることが望ましい。このように複数の断層画像を連動させて切り替えて表示させる方法としては、たとえば、最初に手動で複数の断層画像の断層位置を同じ断層位置に合わせた後、ＤＩＣＯＭなどに予め設定されている断層間隔で、複数の断層画像を連動させて切り替えて表示させるようにすればよい。
【００６９】
または、３次元画像を構成する複数の断層画像から解剖学的特徴点などのランドマークを自動的に検出し、図６に示すように複数の３次元画像について、それぞれ検出された共通のランドマークＬＭの位置の断層画像をそれぞれ表示させることによって複数の断層画像の断層位置を連動させて切り替えるようにしてもよい。なお、ランドマークＬＭとしては、肺尖部や、肋骨や、肝臓などの臓器の中心点などを用いることができるが、これらの限らず、その他のランドマークを検出するようにしてもよい。なお、ランドマークＬＭの検出方法については、公知の手法を用いることができる。
【００７０】
また、上述したように複数の３次元画像の断層画像をそれぞれ並べて表示する際、その複数の３次元画像同士の撮影方向が異なる場合には、同じ撮影方向の断層画像を再構成して同じ撮影方向の断層画像を並べて表示することが望ましい。具体的には、たとえば一方の３次元画像の撮影方向がアキシャル方向であって、他方の３次元画像の撮影方向がサジタル方向である場合には、たとえば撮影方向がアキシャル方向の３次元画像を用いてサジタル方向の断層画像を再構成し、これによりサジタル方向の２つの断層画像を並べて表示するようにしてもよい。なお、３次元画像の撮影方向の情報は、たとえばＤＩＣＯＭなどに予め設定されるものである。また、同じ撮影方向の断層画像の生成方法については、たとえば特開２０１１−１２０８２７号に記載の方法を用いることができる。
【００７１】
また、図７に示すように、断層位置表示制御部１９と撮影範囲表示制御部２１とをさらに設けるようにしてもよい。そして、図８に示すように、診療情報表示画面Ｗ１内の３次元画像情報の名称が示されている欄にさらに人型のアイコンＩＣ１〜ＩＣ３を表示させ、このアイコンＩＣ１〜ＩＣ３上に、断層位置表示制御部１９によって断層位置を示す画像を表示させるとともに、撮影範囲表示制御部２１によって撮影範囲を示す画像を表示させるようにしてもよい。
【００７２】
ここで、断層位置表示制御部１９によって表示される断層位置は、現在、診療情報表示画面Ｗ１に表示されているサムネイル画像の人体上における断層位置を示している。したがって、たとえばビューワアプリケーション１６において断層画像の断層位置が変更され、診療情報表示画面Ｗ１において表示されているサムネイル画像が新しいサムネイル画像に変更された場合には、その新しいサムネイル画像の断層位置が人型のアイコン上に表示されることになる。
【００７３】
また、撮影範囲表示制御部２１によって表示される撮影範囲は、３次元画像を撮影した際の撮影範囲であり、たとえば胸部や腹部の範囲である。この撮影範囲の情報は、ＤＩＣＯＭなどに予め設定されるものである。
【００７４】
以下、図９から図１１を参照しながら、上述したアイコン表示の例について説明する。
【００７５】
図９は、３次元画像の撮影範囲が胸部であって、撮影方向がアキシャル方向である場合における初期の診療情報表示画面Ｗ１に表示されるアイコンＩＣである。３次元画像の撮影範囲が胸部であって、撮影方向がアキシャル方向である場合、上述したように初期の診療情報表示画面Ｗ１では、最も頭部側の断層画像のサムネイル画像を表示させるので、アイコンＩＣ上には、最も頭部側の断層位置を示す画像ＰＩが表示され、また、胸部の撮影範囲を示す画像ＲＩが表示される。
【００７６】
また、図１０は、図９に示すアイコンＩＣが表示された診療情報表示画面Ｗ１の状態から、ビューワアプリケーション１６において断層画像の断層位置が変更され、診療情報表示画面Ｗ１に表示されるサムネイル画像が変更された場合におけるアイコンＩＣである。この図１０に示すアイコンＩＣによれば、断層位置を示す画像ＰＩが胸部の中央位置に表れているので、ビューワアプリケーション１６の終了直前にユーザによって観察された断層画像の断層位置が胸部の中央であり、現在表示されているサムネイル画像の断層位置が胸部の中央であることを即座に認識することができる。
【００７７】
図１１は、３次元画像の撮影範囲が胸部であって、撮影方向がサジタル方向である場合におけるアイコンＩＣであり、図１２は、３次元画像の撮影範囲が腹部であって、撮影方向がコロナル方向である場合におけるアイコンＩＣである。図１１においては、胸部の撮影範囲を示す画像ＲＩと、その胸部におけるサムネイル画像の断層位置を示す画像ＰＩとがアイコンＩＣ上に表示され、図１２において、腹部の撮影範囲を示す画像ＲＩと、その腹部におけるサムネイル画像の断層位置を示す画像ＰＩとがアイコンＩＣ上に表示されている。
【００７８】
なお、アイコン表示の例はこれに限らず、人体のおける３次元画像の撮影範囲と、サムネイル画像の断層位置とを認識することができるものであればその他の形態のアイコン表示としてもよい。
【符号の説明】
【００７９】
１     診療情報表示システム
１０   診療情報表示制御装置
１０   診療情報表示制御装置
１１   診療情報統合アプリケーション
１２   診療情報取得部
１２   診療情報取得部
１３   表示指示受付部
１４   診療情報表示制御部
１５   サムネイル画像表示制御部
１６   ビューワアプリケーション
１７   断層画像表示制御部
１８   断層位置変更指示受付部
１９   断層位置表示制御部
２０   診療科端末
２１   撮影範囲表示制御部
３０   電子カルテシステム
３１   電子カルテ保管サーバ
４０   検査部門システム
４１   検査データ保管サーバ
５０   画像診断システム
５１   画像管理サーバ
５２   読影レポートサーバ
【図１】
0006026982.tif 000002
【図３】
0006026982.tif 000003
【図４】
0006026982.tif 000004
【図６】
0006026982.tif 000005
【図７】
0006026982.tif 000006
【図９】
0006026982.tif 000007
【図１０】
0006026982.tif 000008
【図１１】
0006026982.tif 000009
【図１２】
0006026982.tif 000010
【図２】
0006026982.tif 000011
【図５】
0006026982.tif 000012
【図８】
0006026982.tif 000013